(57)【要約】【課題】遊技制御部品の正否検査充実化を図る。【解決手段】遊技機の制御基板２に設けられた基板管理チップ９に記憶された基板識別情報を基板用読取器５で読み取る一方、制御基板２に実装された半導体部品４のＲＯＭに記憶された部品識別情報を部品用読取器６によって読み取ることによって、判定手段７が読み取られた基板識別情報と読み取られた部品識別情報とを判定手段７に設定された設定識別情報に照合し、読み取られた基板識別情報と読み取られた部品識別情報との組み合わせが設定識別情報と一致すれば制御基板２と半導体部品４とが正規の組み合わせであると判定し、読み取られた基板識別情報と読み取られた部品識別情報との組み合わせが設定識別情報と異なれば制御基板２と半導体部品４とのいずれかが不正交換されたものであると判断する。【選択図】　　　　図１
2004041502.tif 000002
【特許請求の範囲】
【請求項１】
制御基板と、制御基板に実装された半導体部品と、制御基板および半導体部品に設けられた識別情報と、識別情報を読み取る読取器と、読取器によって読み取られた識別情報を設定識別情報に照合して制御基板と半導体部品との正否を管理する判定手段とを備えたことを特徴とする遊技制御管理装置。
【請求項２】
半導体部品をマイクロコンピュータとしたことを特徴とする請求項１記載の遊技制御管理装置。
【請求項３】
読取器はワイヤレスで識別情報を読み取ることを特徴とする請求項１記載の遊技制御管理装置。
【発明の詳細な説明】
【０００１】
【発明の属する技術分野】
本発明は、遊技機の遊技制御用部品の不正交換を発見する装置に関する。
【０００２】
【従来の技術】
パチンコ機等の遊技機には、遊技制御用のマイクロコンピュータのような半導体部品が不正交換されているか否かを検査する遊技制御管理装置が設けられる。図４は、特開平１１−１３７８２２号公報で開示された遊技制御管理装置１００を示す。この遊技制御管理装置１００は、遊技制御用のマイクロコンピュータ１０１にＩＤコードの記憶されたＩＣチップ部１０２を設け、このＩＤコードを検査装置１０３で読み出す構成である。即ち、検査装置１０３がＩＣチップ部１０２に対して所定の電磁波を送信すると、この電磁波を受けたＩＣチップ部１０２は、検査装置１０３にＩＤコードを返信し、この返信されたＩＤコードを受信した検査装置１０３がＩＤコードの正否を判別することにより、マイクロコンピュータ１０１が不正に交換されているか否かを判別できるように構成される。又、図５は特開平１１−２６２５７１号公報で開示された遊技制御管理装置１０４を示す。この遊技制御管理装置１０４は、遊技制御用マイクロコンピュータ１０５を実装する制御基板１０６の容器１０７に、ＩＤコードの記憶されたＩＣチップ部１０８を埋め込み、このＩＤコードを検査装置１０９で読み出す構成である。即ち、検査装置１０９がＩＣチップ部１０８に対して所定の電磁波を送信すると、この電磁波を受けたＩＣチップ部１０８は、検査装置１０９にＩＤコードを返信し、この返信されたＩＤコードを受信した検査装置１０９がＩＤコードの正否を判別することにより、マイクロコンピュータ１０５を実装した制御基板１０６が容器１０７と一緒に不正に交換されているか否かを判別できるように構成される。
【０００３】
【発明が解決しようとする課題】
しかし、図４に示す特開平１１−１３７８２２号公報で開示された遊技制御管理装置１００においては、マイクロコンピュータ１０１自体の正否については判別できるとしても、制御基板１１０の正否を判別できない。このため、マイクロコンピュータ１０１が不正に交換されている場合には、制御基板１１０に実装されている抵抗、コンデンサ等のような他の電子部品と不正なマイクロコンピュータ１０１との整合を採ることができない。このため、遊技が適正に制御されないという問題があった。又、図５に示す特開平１１−２６２５７１号公報で開示された遊技制御管理装置１０４においても、容器１０７自体の正否を判別できるとしても、制御基板１０６が不正に交換されているか否かを判別できなかった。このため、制御基板１０６が不正に交換されている場合には、上述のようにマイクロコンピュータ１０５と他の電子部品との整合を採ることができないため、遊技が適正に制御されないという問題があった。
【０００４】
そこで、本発明は、制御基板と半導体部品が不正に交換されているか否かを検査できるようにした遊技制御管理装置を提供するものである。
【０００５】
【課題を解決するための手段】
本発明にあっては、制御基板と、制御基板に実装された半導体部品と、制御基板および半導体部品に設けられた識別情報と、識別情報を読み取る読取器と、読取器によって読み取られた識別情報を設定識別情報に照合して制御基板と半導体部品との正否を管理する判定手段とを備えたことにより、制御基板に設けられた識別情報と半導体部品に設けられた識別情報とを一組として検査することにより、制御基板又は半導体部品が不正に交換されたか否かを判定できる。又、本発明にあっては、半導体部品をマイクロコンピュータで構成すれば、制御基板又はマイクロコンピュータが不正に交換されたか否かを判定できる。更に、本発明にあっては、読取器がワイヤレスで識別情報を読み取るようにすれば、読取器は非接触の形態で識別情報を読み取ることができる。
【０００６】
【発明の実施の形態】
図１および図２は第１実施形態であって、図１は遊技制御管理装置１を模式的に示し、図２は基板管理チップ９、マイクロコンピュータ４、基板用読取器５、部品用読取器６および判定手段７の回路を示す。
【０００７】
図１を参照し、遊技制御管理装置１について説明する。遊技制御管理装置１は制御基板２と、制御基板２の部品実装面３に実装されたマイクロコンピュータ４のような半導体部品と、基板用読取器５と、部品用読取器６と、パソコンのような判定手段７とを備える。制御基板２の部品実装面３には、マイクロコンピュータ４の他に、抵抗、コンデンサのような電子部品８が実装される。制御基板２は基板管理チップ９を備える。基板管理チップ９は、ＩＤコードのような基板識別情報を記憶するメモリ１１を有すると共に、基板識別情報をワイヤレスで送受信する機能を有する。基板識別情報は制御基板２毎に割当てられる。マイクロコンピュータ４は、ＩＤコードのような部品識別情報を記憶するメモリ１２を有する。部品識別情報は、マイクロコンピュータ４のコネクタ１３から取出し可能である。部品識別情報はマイクロコンピュータ４毎に割当てられる。マイクロコンピュータ４、電子部品８、基板管理チップ９が容器１４内に収容された形態において、コネクタ１３は容器１４外に露出する。基板用読取器５は、基板管理チップ９が格納する基板識別情報を容器１４外からワイヤレスで読み取る。部品用読取器６はコネクタ１５を有し、このコネクタ１５をマイクロコンピュータ４のコネクタ１３に結合した形態で、マイクロコンピュータ４のメモリ１２に格納されている部品識別情報を読み取る。判定手段７は、基板用読取器５から基板識別情報を入力し、又、部品用読取器６から部品識別情報を入力する。判定手段７は、基板識別情報と部品識別情報に基づき、制御基板２およびマイクロコンピュータ４が不正に交換されているか否かを判定する。
【０００８】
図２に示すように基板管理チップ９は、アンテナ１６と、基板識別情報が記憶されるメモリ１１と、復調部１７と、変調部１８と、電源部１９と、制御部２０とを備える。基板管理チップ９は、ミューチップ（日立製作所製）のような無線認識のＩＣチップ（ＲＦＩＤチップ）によって構成される。メモリ１１は、ＲＯＭ，フラッシュメモリ，ＥＰＲＯＭのような不揮発性メモリによって構成される。制御部２０は、メモリ１１に内蔵されるプログラムソフト又はメモリ１１、復調部１７、変調部１８および電源部１９と同様に基板管理チップ９にハード的に設けられた図外の論理回路に基づき、アンテナ１６、メモリ１１、復調部１７、変調部１８、および電源部１９の動作を制御する。即ち、制御部２０は、基板用読取器５からのチップ駆動信号２１をアンテナ１６が受信した場合に、基板用読取器５に対してアンテナ１６から基板識別情報２２を返信する。復調部１７は、基板用読取器５から送信された搬送波からチップ駆動信号２１を復調する。変調部１８は基板識別情報２２によって所定周波数の搬送波を変調する。変調された搬送波はアンテナ１６から基板用読取器５に返信される。電源部１９は、基板用読取器５から送信された電磁波を受信するアンテナ１６に発生する交流電圧を直流電圧に変換することにより、メモリ１１、復調部１７、変調部１８、電源部１９および制御部２０に供給する駆動電力を得る。即ち、アンテナ１６は図外の共振回路を備えており、アンテナ１６が電磁波を受信するとこの共振回路に交流電圧が発生する。この交流電圧を電源部１９に内臓のＡＣ／ＤＣコンバータによって直流電圧に変換する。
【０００９】
マイクロコンピュータ４は、部品識別情報を記憶するメモリ１２と、コネクタ１３と、制御部２３とを備える。制御部２３はメモリ１２に別途記憶するプログラムソフト又はマイクロコンピュータ４の図外の回路基板にハード的に設けられた図外の論理回路に基づき遊技の制御を行う。又、制御部２３はメモリ１２に別途記憶するプログラムソフトに基づきメモリ１２およびコネクタ１３の動作を制御する。メモリ１２は、ＲＯＭ，フラッシュメモリ，ＥＰＲＯＭのような不揮発性メモリによって構成される。マイクロコンピュータ４は、部品用読取器６から部品駆動信号２４を入力した場合に、コネクタ１３から部品用読取器６に対して部品識別情報２５を出力可能となる。
【００１０】
基板用読取器５は、アンテナ２６と、チップ駆動信号出力部２７と、変調部２８と、復調部２９と、ＲＡＭメモリ３０と、メモリ３１と、制御部３２と、操作部３３とを備える。制御部３２は操作部３３が操作された場合、メモリ３１に内蔵されるプログラムソフトに基づき、アンテナ２６、チップ駆動信号出力部２７、変調部２８、復調部２９、ＲＡＭメモリ３０、メモリ３１の動作を制御する。メモリ３１は、ＲＯＭ，フラッシュメモリ，ＥＰＲＯＭのような不揮発性メモリによって構成される。アンテナ２６は基板管理チップ９に対して信号を送受信する。チップ駆動信号出力部２７は基盤管理チップ９を駆動するためのチップ駆動信号２１を出力する。変調部２８は、チップ駆動信号２１によって所定周波数の搬送波を変調する。変調された搬送波はアンテナ２６から基板管理チップ９に送信される。復調部２９は、基板管理チップ９から返信された基板識別情報２２を復調する。復調された基板識別情報２２は、ＲＡＭメモリ３０に格納される。又、チップ駆動信号２１を基板管理チップ９に送信してから所定時間が経過しても基板識別情報２２が基板管理チップ９から返信されない場合には、制御部３２は「返信無し」をＲＡＭメモリ３０に記憶する。
【００１１】
部品用読取器６は、部品駆動信号出力部３４と、ＲＡＭメモリ３５と、メモリ３６と、制御部３７と、操作部３８およびコネクタ１５を備える。制御部３７は、操作部３８が操作された場合に、メモリ３６に内蔵されているプログラムソフトに基づき部品駆動信号出力部３４と、ＲＡＭメモリ３５と、メモリ３６およびコネクタ１５の動作を制御する。メモリ３６は、ＲＯＭ，フラッシュメモリ，ＥＰＲＯＭのような不揮発性メモリによって構成される。コネクタ１５は、マイクロコンピュータ４のコネクタ１３に接続可能である。部品駆動信号出力部３４は、操作部３８が操作された場合に、部品駆動信号２４をコネクタ１５を介してマイクロコンピュータ４に出力する。制御部３７は、部品駆動信号２４をマイクロコンピュータ４に出力した場合に、マイクロコンピュータ４から返信された部品識別情報２５をＲＡＭメモリ３５に格納する。又、部品駆動信号２４をマイクロコンピュータ４に送信してから所定時間が経過しても部品識別情報２５がマイクロコンピュータ４から返信されない場合には、制御部３７は「返信無し」をＲＡＭメモリに記憶する。
【００１２】
判定手段７は、ＲＡＭメモリ３９と、メモリ４０と、照合部４１と、報知部４２と、制御部４３と、操作部４４とを備える。制御部４３は、操作部４４が操作された場合に、メモリ４０に記憶されているプログラムソフト又はＲＡＭメモリ３９、メモリ４０、照合部４１、報知部４２、操作部４４と同様に判定手段７に設けられた図外の論理回路に基づきＲＡＭメモリ３９、メモリ４０、照合部４１、および報知部４２の動作を制御する。制御部４３は、基板用読取器５のＲＡＭメモリ３０の格納内容を入力してＲＡＭメモリ３９に記憶すると共に、部品用読取器６のＲＡＭメモリ３５の格納内容を入力してＲＡＭメモリ３９に記憶する。メモリ４０には、基板識別情報２２および部品識別情報２５を照合するための設定識別情報が格納される。設定識別情報は、遊技機の製造番号のような各遊技機を特定するための遊技機特定情報と、各遊技機に適正に装着されるべきマイクロコンピュータ４を特定する部品識別情報２５と、当該部品識別情報２５と適正に一組を構成するべき制御基板２を特定するための基板識別情報２２とを備える。そして、メモリ４０には、部品識別情報２５および基板識別情報２２が遊技機特定情報に対応するようにテーブル（表形式）の形態で予め格納される。メモリ４０は、ＲＯＭ，フラッシュメモリ，ＥＰＲＯＭのような不揮発性メモリによって構成される。設定識別情報は、電話回線のような通信手段を介して外部からメモリ４０に格納でき、又、当該設定識別情報は、フロッピディスク、ＣＤ−ＲＯＭ，ＭＯのような媒体の形態でメモリ４０に格納できる。照合部４１は、ＲＡＭメモリ３９から基板識別情報２２および部品識別情報２５を呼び出し、且つ、メモリ４０から設定識別情報を呼び出すと共に、基板識別情報２２および部品識別情報２５を設定識別情報に照合する。報知部４２は、照合部４１による照合結果を報知する。
【００１３】
基板管理チップ９のアンテナ１６は、第１図に示すように、基板管理チップ９上にオンチップアンテナとして形成される。オンチップアンテナは、銅のような導電性材料を用いてループ状に形成される。アンテナ１６をオンチップアンテナによって形成した場合、当該アンテナ１６を外部アンテナによって形成する場合に比較してアンテナ１６を設置するためのスペースを狭くすることができる。
【００１４】
次に動作について説明する。制御基板２又はマイクロコンピュータ４が不正に交換されている否かを検査する場合、判定手段７の操作部４４、基板用読取器５の操作部３３、および部品用読取器６の操作部３８を操作することにより、判定手段７、基板用読取器５、および部品用読取器６を起動させる。基板用読取器５が起動すると、基板用読取器５の制御部３２はチップ駆動信号２１をチップ駆動信号出力部２７から変調部２８に出力する。変調部２８に出力されたチップ駆動信号２１によって変調部２８は所定周波数の搬送波を変調する。変調された搬送波はアンテナ２６から基板管理チップ９に送信される。基板管理チップ９の復調部１７は、送信された搬送波からチップ駆動信号２１を復調する。基板管理チップ９がチップ駆動信号２１を受信した場合、基板管理チップ９の変調部１８は、メモリ１１に記憶されている基板識別情報２２によって所定周波数の搬送波を変調する。変調された搬送波は基板管理チップ９のアンテナ１６から基板用読取器５に返信される。基板用読取器５は復調部２９において基板識別情報２２を復調した後、基板識別情報２２をＲＡＭメモリ３０に格納する。又、チップ駆動信号２１を基板管理チップ９に送信してから所定時間が経過しても基板識別情報２２が基板管理チップ９から返信されない場合には、基板用読取器５の制御部３２は「返信無し」をＲＡＭメモリ３０に記憶する。
【００１５】
次に、部品用読取器６のコネクタ１５をマイクロコンピュータ４のコネクタ１３に接続すると、部品用読取器６の制御部３７は部品駆動信号２４をコネクタ１５を介してマイクロコンピュータ４に出力する。部品駆動信号２４をコネクタ１３を介して入力したマイクロコンピュータ４の制御部２３は、メモリ１２から部品識別情報２５を読み出すと共に、部品識別情報２５を部品用読取器６に返信する。部品識別情報２５を返信された部品用読取器６は、部品識別情報２５をＲＡＭメモリ３５に格納する。又、部品駆動信号２４をマイクロコンピュータ４に送信してから所定時間が経過しても部品識別情報２５がマイクロコンピュータ４から返信されない場合には、部品用読取器６の制御部３７は「返信無し」をＲＡＭメモリ３５に記憶する。
【００１６】
判定手段７は、ステップ２０１において基板用読取器５および部品用読取器６からそれぞれ基板識別情報２２、部品識別情報２５又は「返信無し」を入力してＲＡＭメモリ３９に格納する。ステップ２０２において基板識別情報２２および部品識別情報２５を設定識別情報と比較する。その結果、マイクロコンピュータ４の不正が発見されたり、又は、マイクロコンピュータ４が適正のものであっても基板識別情報２２が部品識別情報２５と一組をなさないものである場合には、ステップ２０３においてマイクロコンピュータ４又は制御基板２が不正に交換されている旨を報知する。又、ステップ２０２において、ＲＡＭメモリ３９の内容が「返信無し」の場合には、当該「返信無し」に該当する制御基板２又はマイクロコンピュータ４が不正である旨をステップ２０３において報知する。一方、ステップ２０２において不正が発見されない場合には、ステップ２０４において不正がない旨を報知する。そして、マイクロコンピュータ４又は制御基板２が不正に交換されている場合には、正当なマイクロコンピュータ４又は制御基板２に交換し直すことにより、不正な遊技は阻止される。以上の説明では、基板識別情報２２並びに返信無し情報が基板用読取器５のＲＡＭメモリ３０に格納されるようにしたが、基板識別情報２２並びに返信無し情報が当該ＲＡＭメモリ３０に格納されないで、判定手段７のＲＡＭメモリ３９に送信されて格納されるようにしてもよい。更に、部品識別情報２５並びに返信無し情報が部品用読取器６のＲＡＭメモリ３５に格納されるようにしたが、部品識別情報２５並びに返信無し情報が当該ＲＡＭメモリ３５に格納されないで、判定手段７のＲＡＭメモリ３９に送信されて格納されるようにしてもよい。
【００１７】
図３は第２実施形態を模式的に示す。本実施形態においては、基板用読取器５および部品用読取器６からの基板識別情報２２および部品識別情報２５は、一組としてパソコンのような情報取込装置５１によって取込まれ、この情報取込装置５１に接続された携帯電話又はＰＨＳのような携帯端末５２および携帯端末基地局５３を介して判定手段７に出力される。情報取込装置５１は制御部５４と、ＲＡＭメモリ５５と、メモリ５６と、操作部５７とを備える。操作部５７が操作されることにより制御部５４が起動する。制御部５４は、メモリ５６に格納されるプログラムソフトに基づきＲＡＭメモリ５５の動作を制御する。ＲＡＭメモリ５５は、基板用読取器５および部品用読取器６からの基板識別情報２２および部品識別情報２５を一組として格納する。判定手段７は、複数の遊技店に設置される各遊技機に対応する遊技機特定情報と、各遊技機特定情報に対応する部品識別情報２５および基板識別情報２２を管理する。このように構成することにより、通信手段を介して各遊技店から判定手段７にアクセスできるために、判定手段７は複数の遊技店を集中管理することができる。このため、各遊技店に判定手段７を設置する必要がないだけでなく、判定手段７のメモリ４０（図２に示す）に格納されている設定識別情報を新規なものに更新する場合に、各遊技店においてこのような更新の作業を実施する必要がない。尚、以上の説明においては、通信手段として携帯電話やＰＨＳのような携帯端末５２を用いた場合について説明したが、情報取込装置５１として通信機能を有するパソコンを用いると共に、情報取込装置５１に取込まれた部品識別情報２５および基板識別情報２２はインターネットによって判定手段７に出力するようにしても良い。又、以上の説明においては、携帯端末５２を情報取込装置５１と別体に設けたが、情報取込装置５１として、携帯端末５２を組込んであるパソコンを用いても良い。更に、情報取込装置５１として、モデムを組込んであるパソコンを用いて、基板識別情報２２および部品識別情報２５を電話回線を介して判定手段７に送信するようにしても良い。
【００１８】
以上の説明においては、半導体部品としてマイクロコンピュータ４を用いた場合について説明したが、半導体部品としてマイクロプロセッサのような他の半導体部品を用いた場合にも、本発明を適用することができる。又、マイクロコンピュータ４のメモリ１２に部品識別情報２５を記憶し、部品識別情報２５をコネクタ１３を介して部品用読取器６に取込むようにしたが、基板管理チップ９と同様の無線認識のＩＣチップ（ＲＦＩＤチップ）をマイクロコンピュータ４に装着し、無線認識のＩＣチップに部品識別情報２５を記憶させるようにすれば、部品用読取器６をマイクロコンピュータ４に接触させることなくマイクロコンピュータ４から部品識別情報２５を部品用読取器６に取込むことができる。又、制御基板２を特定するための適正の基板識別情報２２を、マイクロコンピュータ４を特定するための適正の部品識別情報２５と一組をなすように設定識別情報として判定手段７のメモリ４０に格納したが、基板識別情報２２を遊技機特定情報に直接に対応させて判定手段７のメモリ４０に格納させることにより、基板識別情報２２を部品識別情報２５から独立させて管理すれば、遊技機が廃棄処分された以後の制御基板２の動向を単独に追跡することができ、当該制御基板２の悪用を阻止することができる。
【図面の簡単な説明】
【図１】第１実施形態の遊技制御管理装置の模式図。
【図２】第１実施形態の遊技制御管理装置の回路図。
【図３】第２実施形態の遊技制御管理装置の回路図。
【図４】従来技術による遊技制御管理装置の模式図。
【図５】従来技術による遊技制御管理装置の模式図。
【符号の説明】
１　遊技制御管理装置、２　制御基板、４　マイクロコンピュータ（半導体部品）、５　基板用読取器、６　部品用読取器、７　判定手段。
【図１】
2004041502.tif 000003
【図２】
2004041502.tif 000004
【図３】
2004041502.tif 000005
【図４】
2004041502.tif 000006
【図５】
2004041502.tif 000007